(57)【要約】      （修正有）【課題】インクリボンに適切なテンションを与えながら印画を行うことができる熱転写印画装置及び熱転写印画方法を提供する。【解決手段】熱転写印画装置の印画部は、印画シート７のプリント枚葉領域Ｐに画像を形成しつつ、プリント枚葉領域Ｐの前方側及び後方側のマージン領域ＭＡにおいて、画像の前方縁に目印パターン２２を印画し、前記画像の後方縁に目印パターン２０を印画し、画像センサが、目印パターン２２及び２０を検出する。制御装置は、目印パターン２２が検出されてから目印パターン２０が検出されるまでの時間と、印画シート７の搬送速度とから、印画長Ｌを計算し、印画長Ｌが所定範囲に収まっていない場合、インクリボンのテンション又は印画シート７の搬送速度を制御する。【選択図】図３
2018051829.tif 000002
【特許請求の範囲】
【請求項１】
インクリボンを供給する供給部と、
印画紙ロールから印画シートを繰り出す駆動部と、
前記供給部から供給されたインクリボンを用いて、前記印画シート上にインクを熱転写して画像を形成する印画部と、
熱転写後のインクリボンを回収する回収部と、
前記印画部により画像が形成された印画シートを撮像する画像センサと、
前記印画シートを幅方向に切断するカッターと、
前記回収部及び前記駆動部を制御する制御装置と、
を備え、
前記印画部は、前記印画シートのプリント枚葉領域に画像を形成しつつ、前記プリント枚葉領域の前方側及び後方側のマージン領域において、前記画像の前方縁に第１目印パターンを印画し、前記画像の後方縁に第２目印パターンを印画し、
前記画像センサは、前記第１目印パターン及び前記第２目印パターンを検出し、
前記制御装置は、前記第１目印パターンが検出されてから前記第２目印パターンが検出されるまでの時間と、前記印画シートの搬送速度とから、前記第１目印パターンと前記第２目印パターンとの間の距離を示す印画長を計算し、前記印画長が所定範囲に収まっているか否か判定し、前記印画長が前記所定範囲に収まっていない場合、前記回収部による前記インクリボンの巻き取り力又は前記印画シートの搬送速度を制御することを特徴とする熱転写印画装置。
【請求項２】
前記制御装置は、前記印画長が前記所定範囲の上限より大きい場合に巻き取り力を減少させ、前記印画長が前記所定範囲の下限より小さい場合に巻き取り力を増加させることを特徴とする請求項１に記載の熱転写印画装置。
【請求項３】
前記制御装置は、前記印画長が前記所定範囲の上限より大きい場合に前記搬送速度を減少させ、前記印画長が前記所定範囲の下限より小さい場合に前記搬送速度を増加させることを特徴とする請求項１に記載の熱転写印画装置。
【請求項４】
前記第１目印パターンは前記画像の印画終了位置を示し、前記第２目印パターンは前記画像の印画開始位置を示すことを特徴とする請求項１乃至３のいずれかに記載の熱転写印画装置。
【請求項５】
前記第１目印パターン及び前記第２目印パターンは、それぞれ、前記印画シートの幅方向に沿う直線上に設けられたイエローライン部、マゼンタライン部、及びシアンライン部を含むことを特徴とする請求項１乃至４のいずれかに記載の熱転写印画装置。
【請求項６】
印画紙ロールから印画シートを繰り出す工程と、
インクリボンから前記印画シートにインクを熱転写し、前記印画シートのプリント枚葉領域に画像を形成しつつ、前記プリント枚葉領域の前方側及び後方側のマージン領域において、前記画像の前方縁に第１目印パターンを印画し、前記画像の後方縁に第２目印パターンを印画する工程と、
熱転写後のインクリボンを回収部が回収する工程と、
画像が形成された印画シートを撮像し、前記第１目印パターン及び前記第２目印パターンを検出する工程と、
前記印画シートを幅方向に切断し、前記印画シートから、前記画像を含むプリント枚葉と、前記マージン領域を含むマージン片とを切り出す工程と、
前記第１目印パターンが検出されてから前記第２目印パターンが検出されるまでの時間と、前記印画シートの搬送速度とから、前記第１目印パターンと前記第２目印パターンとの間の距離を示す印画長を計算する工程と、
前記印画長が所定範囲に収まっているか否か判定する工程と、
前記印画長が前記所定範囲に収まっていない場合、前記回収部による前記インクリボンの巻き取り力又は前記印画シートの搬送速度を制御する工程と、
を備える熱転写印画方法。
【発明の詳細な説明】
【技術分野】
【０００１】
本発明は、インクリボンに適切なテンションを与えながら印画を行う熱転写印画装置及び熱転写印画方法に関する。
【背景技術】
【０００２】
サーマルヘッドとプラテンロールとの間にインクリボンと印画紙とを挟み込み、サーマルヘッドからインクリボンに熱を付与して、インクリボンの染料を印画紙に転写する熱転写プリンタが知られている。
【０００３】
熱転写型プリンタにおいて、染料転写時にインクリボンに与えられるテンションが適切で無い場合、印画物に皺が生じたり、印画紙からインクリボンを剥離できずに印画紙の紙詰まり（ジャム）が生じたりすることがあった。このような不良発生を防止するためには、インクリボンに与えるテンションを適切に制御する必要がある。
【０００４】
インクリボンのテンションを制御する技術として、インクリボンを供給する駆動系に、トルクリミッタを組み込むことで、インクリボンのテンションを制御する技術が知られている。しかし、ロール状に巻かれたインクリボンは、印刷枚数に応じてインクリボンロールの巻き径が変化する。トルクリミッタは、巻き径によらず一定のトルクを与えるため、インクリボンロールの巻き径の変化に応じて、インクリボンのテンションが変化してしまう。そのため、上述のジャム等の不良が発生しない範囲内に、インクリボンロールの巻き径の大きさを制限していた。
【０００５】
特許文献１には、インクリボンロールの巻き径によらず、一定のテンションをインクリボンに与える技術として、インクリボンを巻き取るＤＣモータによってトルクを与え、さらに、ＤＣモータの駆動トルクを制御する手法が開示されている。
【０００６】
また、特許文献２には、インクリボン上の特定の頭出しマークを利用して、インクリボンが所定の距離を移動するのに要する時間を測定し、この時間が一定となるように、インクリボンを巻き取るＤＣモータの駆動電圧を制御する技術が開示されている。
【０００７】
一般に、ＤＣモータのトルク対回転数特性（以下、Ｔ−Ｎ特性）は、設置環境の温度・湿度や、使用状況（例えば、印刷枚数）等によって変動することが知られている。上述の従来技術では、ＤＣモータのＴ−Ｎ特性の変動を考慮せずに、インクリボンを巻き取るＤＣモータの制御を行っていたため、ＤＣモータのＴＮ特性が変動している場合には、インクリボンに適切なテンションが与えられないという問題があった。
【０００８】
特許文献３は、インクリボンを巻き取るＤＣモータのＴ−Ｎ特性の変動を考慮して、環境センサで設置環境の温度および湿度を測定し、測定した温度および湿度に応じて、トルク対回転数特性を測定する熱転写型プリンタを開示している。しかし、使用するサーマルヘッドの状態（摩耗やヘッドカス等）により、ヘッド−インクリボン間にかかる摩擦が増大し、インクリボンにかかるテンションが正常範囲から外れ、印画される画像の位置がずれたり、印画紙にシワが発生したりするという問題があった。
【先行技術文献】
【特許文献】
【０００９】
【特許文献１】特開２００７−６２０３２号公報
【特許文献２】特開平５−４４３５号公報
【特許文献３】特許第５９３０７９０号公報
【発明の概要】
【発明が解決しようとする課題】
【００１０】
本発明は、上記従来の実状に鑑みてなされたものであり、インクリボンに適切なテンションを与えながら印画を行うことができる熱転写印画装置及び熱転写印画方法を提供することを課題とする。
【課題を解決するための手段】
【００１１】
本発明による熱転写印画装置は、インクリボンを供給する供給部と、印画紙ロールから印画シートを繰り出す駆動部と、前記供給部から供給されたインクリボンを用いて、前記印画シート上にインクを熱転写して画像を形成する印画部と、熱転写後のインクリボンを回収する回収部と、前記印画部により画像が形成された印画シートを撮像する画像センサと、前記印画シートを幅方向に切断するカッターと、前記回収部及び前記駆動部を制御する制御装置と、を備え、前記印画部は、前記印画シートのプリント枚葉領域に画像を形成しつつ、前記プリント枚葉領域の前方側及び後方側のマージン領域において、前記画像の前方縁に第１目印パターンを印画し、前記画像の後方縁に第２目印パターンを印画し、前記画像センサは、前記第１目印パターン及び前記第２目印パターンを検出し、前記制御装置は、前記第１目印パターンが検出されてから前記第２目印パターンが検出されるまでの時間と、前記印画シートの搬送速度とから、前記第１目印パターンと前記第２目印パターンとの間の距離を示す印画長を計算し、前記印画長が所定範囲に収まっているか否か判定し、前記印画長が前記所定範囲に収まっていない場合、前記回収部による前記インクリボンの巻き取り力又は前記印画シートの搬送速度を制御するものである。
【００１２】
本発明の一態様では、前記制御装置は、前記印画長が前記所定範囲の上限より大きい場合に巻き取り力を減少させ、前記印画長が前記所定範囲の下限より小さい場合に巻き取り力を増加させる。
【００１３】
本発明の一態様では、前記制御装置は、前記印画長が前記所定範囲の上限より大きい場合に前記搬送速度を減少させ、前記印画長が前記所定範囲の下限より小さい場合に前記搬送速度を増加させる。
【００１４】
本発明の一態様では、前記第１目印パターンは前記画像の印画終了位置を示し、前記第２目印パターンは前記画像の印画開始位置を示す。
【００１５】
本発明の一態様では、前記第１目印パターン及び前記第２目印パターンは、それぞれ、前記印画シートの幅方向に沿う直線上に設けられたイエローライン部、マゼンタライン部、及びシアンライン部を含む。
【００１６】
本発明の熱転写印画方法は、印画紙ロールから印画シートを繰り出す工程と、インクリボンから前記印画シートにインクを熱転写し、前記印画シートのプリント枚葉領域に画像を形成しつつ、前記プリント枚葉領域の前方側及び後方側のマージン領域において、前記画像の前方縁に第１目印パターンを印画し、前記画像の後方縁に第２目印パターンを印画する工程と、熱転写後のインクリボンを回収部が回収する工程と、画像が形成された印画シートを撮像し、前記第１目印パターン及び前記第２目印パターンを検出する工程と、前記印画シートを幅方向に切断し、前記印画シートから、前記画像を含むプリント枚葉と、前記マージン領域を含むマージン片とを切り出す工程と、前記第１目印パターンが検出されてから前記第２目印パターンが検出されるまでの時間と、前記印画シートの搬送速度とから、前記第１目印パターンと前記第２目印パターンとの間の距離を示す印画長を計算する工程と、前記印画長が所定範囲に収まっているか否か判定する工程と、前記印画長が前記所定範囲に収まっていない場合、前記回収部による前記インクリボンの巻き取り力又は前記印画シートの搬送速度を制御する工程と、を備えるものである。
【発明の効果】
【００１７】
本発明によれば、インクリボンに適切なテンションを与えながら印画を行うことができる。
【図面の簡単な説明】
【００１８】
【図１】本発明の実施形態に係る熱転写印画装置の概略構成図である。
【図２】インクリボンの平面図である。
【図３】画像が形成された印画シートの平面図である。
【図４】同実施形態による熱転写印画方法を説明するフローチャートである。
【発明を実施するための形態】
【００１９】
以下、本発明の実施の形態を図面に基づいて説明する。
【００２０】
図１は本発明の実施の形態に係る熱転写印画装置の概略構成図であり、図２は熱転写印画装置で使用されるインクリボンの平面図である。熱転写印画装置は、印画シート（印画紙、受像紙）にイエロー、マゼンタ、シアンを昇華転写して、画像を印画する。
【００２１】
熱転写印画装置は、イエロー染料を含むＹ層５１、マゼンタ染料を含むＭ層５２、シアン染料を含むＣ層５３、及び表面保護（ＯＰ）層５４が面順次に設けられたインクリボン５を用いて、印画シート７上にＹ、Ｍ、Ｃを昇華転写させて画像を印画し、画像上に保護層を形成するサーマルヘッド１を備えている。
【００２２】
サーマルヘッド１の下流側に、インクリボン５を巻き付けて形成されたインクリボン供給部３が設けられ、サーマルヘッド１の上流側にインクリボン回収部４が設けられている。インクリボン供給部３から繰り出されたインクリボン５は、サーマルヘッド１を通って、インクリボン回収部４に回収されるようになっている。
【００２３】
サーマルヘッド１の下方側には回転自在なプラテンロール２が設けられている。サーマルヘッド１及びプラテンロール２を含む印画部４０は、印画シート７及びインクリボン５を挟み込み、インクリボン５を加熱して印画シート７上にインクを熱転写することで画像を形成する。
【００２４】
サーマルヘッド１の上流側には、印画シート７の搬送を行うための回転駆動自在なキャプスタンローラ９ａと、キャプスタンローラ９ａに印画シート７を圧着させるためのピンチローラ９ｂが設けられている。
【００２５】
サーマルヘッド１の下流側には、印画シート７に印画された後述する目印パターン２０，２２（図３参照）を検知する画像センサ１１が設けられている。
【００２６】
インクリボン５は、基材層の一方の面に、インクリボン回収部４側から、Ｙ層５１、Ｍ層５２、Ｃ層５３、及びＯＰ層５４が順次形成される。言い換えれば、Ｙ層５１、Ｍ層５２、Ｃ層５３、及びＯＰ層５４を含む１組（１画面分）のインク層５０が、連続して複数組設けられている。Ｙ層５１、Ｍ層５２、Ｃ層５３には、バインダ樹脂に、昇華性染料を溶融又は分散させた材料を用いることが好ましい。ＯＰ層５４には、透明で、接着性、耐光性等を有する材料を用いることが好ましい。
【００２７】
基材層は、インク層５０を支持するための層であり、従来公知のある程度の耐熱性と強度を有するものを使用できる。例えば、ポリエチレンテレフタレートフィルム、ポリエチレンナフタレートフィルム、ポリスチレンフィルム、ポリプロピレンフィルム、ポリカーボネートフィルム等が挙げられる。
【００２８】
基材層の他方の面、すなわちインク層５０が設けられた面とは反対側の面には背面層が設けられている。サーマルヘッド１は、インクリボン５を背面層側から加熱する。背面層は、熱転写時の熱でインクリボン５が変形しないように耐熱性を向上させるとともに、熱転写時のサーマルヘッド１の走行性を改善してスティッキング等を抑制する機能を有する。背面層は、一般的に、バインダ樹脂に滑性剤、界面活性剤、無機粒子、有機粒子、顔料等を添加したものを塗布、乾燥することにより形成できる。
【００２９】
印画シート７は、印画紙ロール６に巻き付けられており、印画紙ロール６から繰り出される。印画シート７には公知のものを使用することができる。印画紙ロール６、キャプスタンローラ９ａ、及びピンチローラ９ｂを含む駆動部３０により印画シート７の繰り出し（前方側への搬送）や巻取り（後方側への搬送）が行われる。
【００３０】
制御装置１０は、熱転写印画装置の各部の駆動を制御し、印画処理を行う。印画処理では、まず、印画シート７とＹ層５１とが位置合わせされ、印画シート７及びインクリボン５を介してサーマルヘッド１がプラテンロール２に当接する。次に、キャプスタンローラ９ａ及びインクリボン回収部４が回転駆動して、印画シート７及びインクリボン５が後方側へ送られる。この間、画像データに基づいて、サーマルヘッド１によりＹ層５１の領域が選択的に順次加熱され、インクリボン５から印画シート７上にＹが昇華転写される。
【００３１】
Ｙの昇華転写後、サーマルヘッド１が上昇し、プラテンロール２から離れる。次に、印画シート７とＭ層５２とが位置合わせされる。この場合、印画シート７はプリントサイズに相当する距離だけ前方側へ送られるとともに、インクリボン５はＹ層５１とＭ層５２との間のマージンに相当する距離だけ後方側へ送られる。
【００３２】
Ｙを昇華転写する方法と同様にして、印画シート７上にＭ及びＣが順次昇華転写され、印画シート７上に画像が形成される。次に、サーマルヘッド１により画像全体にＯＰ層５４が転写されて、保護層が形成される。
【００３３】
その後、印画シート７は下流側でカッター８によりプリント枚葉７ａとして切り出される。プリント枚葉７ａは、図示を省略する排出口から排出される。印画処理では、１組のインク層５０を用いて、１画面（１枚のプリント枚葉７ａ）分の印画シート７に対して色材を転写して画像を形成する。
【００３４】
図３は、画像が形成された印画シート７の平面図である。図３に示すように、印画シート７上には、各染料が重ね合わされて画像が形成され、カッター８による切断後にプリント枚葉７ａとなるプリント枚葉領域Ｐと、マージン領域ＭＡとが印画シート７の長さ方向に沿って交互に形成される。プリント枚葉領域Ｐとマージン領域ＭＡとの境界が、カッター８による切断線となる。マージン領域ＭＡは、不要なマージン片（カット屑）として切り出され、図示しない回収容器に回収される。
【００３５】
プリント枚葉領域Ｐよりも画像を少し大きく印画している。つまり、プリント枚葉領域Ｐよりも画像形成領域（図３の斜線部）が大きくなっている。そのため、マージン領域ＭＡの前方側及び後方側に画像形成領域が含まれる。これにより、カッター８の切断位置が多少ずれても、全面に画像が形成されたプリント枚葉７ａが得られる。
【００３６】
また、図３に示すように、画像形成領域の後方縁及び前方縁には目印パターン２０，２２が印画される。上述したように、熱転写印画装置は、印画シート７を後方側へ送りながら印画を行うため、画像形成領域の後方縁に印画する目印パターン２０が、印画開始位置を示す。画像形成領域の前方縁に印画する目印パターン２２が、印画終了位置を示す。
【００３７】
従って、マージン領域ＭＡには、ある画面の画像形成領域の印画開始位置を示す目印パターン２０と、次の画面の画像形成領域の印画終了位置を示す目印パターン２２とが含まれる。
【００３８】
目印パターン２０は、印画シート７の幅方向に沿って間隔を空けて延びるイエローライン部２０ｙ、マゼンタライン部２０ｍ、シアンライン部２０ｃを有する。同様に、目印パターン２２は、印画シート７の幅方向に沿って間隔を空けて延びるイエローライン部２２ｙ、マゼンタライン部２２ｍ、シアンライン部２２ｃを有する。目印パターン２０、２２の太さ（繰り出し方向の幅）は、０．５〜１．０ｍｍ程度である。
【００３９】
イエローライン部２０ｙ、マゼンタライン部２０ｍ、シアンライン部２０ｃは間隔を空けず、連続して形成されていてもよい。同様に、イエローライン部２２ｙ、マゼンタライン部２２ｍ、シアンライン部２２ｃは間隔を空けず、連続して形成されていてもよい。
【００４０】
画像センサ１１は、１画面分の印画処理後にカッター８へ搬送される印画シート７を撮像し、目印パターン２０，２２を検知する。具体的には、画像センサ１１は、まず、画像形成領域の前方縁に印画された目印パターン２２を検知し、次いで、画像形成領域の後方縁に印画された目印パターン２０を検知する。
【００４１】
画像センサ１１は、目印パターン２２、２０を検知した時間を制御装置１０に通知する。制御装置１０は、目印パターン２２が検知されてから目印パターン２０が検知されるまでの経過時間Ｔを求める。そして、制御装置１０は、時間Ｔに、印画シート７の搬送速度Ｖを乗じて、目印パターン２２と目印パターン２０との間の距離、すなわち画像形成領域の長さＬを算出する。以下、画像形成領域の長さＬを印画長Ｌと記載する。
【００４２】
制御装置１０は、算出した印画長Ｌが所定範囲に収まっているか否か判定する。印画長Ｌが所定範囲に収まっていない場合、画像の位置ずれが発生し、画質の低下を招くため、制御装置１０は、印画長Ｌが所定範囲の値となるように、インクリボン回収部４によるインクリボン５の巻き取り力（トルク）を制御する。
【００４３】
印画長Ｌが所定範囲の下限値Ｌ１より小さい場合、制御装置１０は、印画処理時のインクリボン回収部４によるインクリボン５の巻き取り力を増加させ、インクリボン５の張力を増加させる。算出した印画長Ｌと、下限値Ｌ１との差分に応じて、インクリボン回収部４の巻き取り力を増加させる。
【００４４】
インクリボン５は印画シート７と共にサーマルヘッド１とプラテンロール２との間に挟み込まれているため、インクリボン５の張力を増加させることで印画シート７の搬送速度が上がる。そのため、印画長が伸び、印画長が所定範囲に収まり、画質低下を防止できる。
【００４５】
一方、印画長Ｌが所定範囲の上限値Ｌ２より大きい場合、制御装置１０は印画処理時のインクリボン回収部４によるインクリボン５の巻き取り力を減少させ、インクリボン５の張力を減少させる。算出した印画長Ｌと、上限値Ｌ２との差分に応じて、インクリボン回収部４の巻き取り力を減少させる。インクリボン５の張力を減少させることで印画シート７の搬送速度が下がるため、印画長が縮み、印画長が所定範囲に収まり、画質低下を防止できる。
【００４６】
次に、本実施形態による熱転写印画方法を図４に示すフローチャートを用いて説明する。
【００４７】
熱転写印画装置は、画像データが入力されると印画処理を開始する。印画シート７とインクリボン５のＹ層５１（又はＭ層５２又はＣ層５３）の位置を合わせ、印画開始位置に目印パターン２０を印画する（ステップＳ１）。
【００４８】
目印パターン２０の印画に続いて、画像データに応じてインクリボン５を加熱して、画像を印画する（ステップＳ２）。画像印画後、印画終了位置に目印パターン２２を印画する（ステップＳ３）。Ｙ、Ｍ、Ｃそれぞれについて目印パターン２０、画像、及び目印パターン２２の印画を行った後（ステップＳ４＿Ｙｅｓ）、画像全体にＯＰ層５４が転写されて、保護層が形成される。
【００４９】
画像上に保護層が形成された印画シート７は、カッター８が設けられた下流側へ搬送される。画像センサ１１が、搬送中の印画シート７の画像形成領域の前方縁に印画された目印パターン２２と、後方縁に印画された目印パターン２０とを検出する（ステップＳ５）。画像センサ１１は、目印パターン２２を検出した時刻と、目印パターン２０を検出した時刻とを制御装置１０に通知する。
【００５０】
制御装置１０は、画像センサ１１が目印パターン２２を検出してから目印パターン２０を検出するまでの時間Ｔを算出する。そして、制御装置１０は、印画シート７の搬送速度Ｖに時間Ｔを乗じて、印画長Ｌを算出する（ステップＳ６）。なお、画像センサ１１が時間Ｔを算出し、制御装置１０に通知してもよい。
【００５１】
制御装置１０は、印画長Ｌが所定の範囲（Ｌ１以上、Ｌ２以下）に収まっているか否か判定する（ステップＳ７、Ｓ８）。印画長Ｌが下限値Ｌ１より小さい場合は（ステップＳ７＿Ｎｏ）、印画長Ｌと下限値Ｌ１との差分に応じてインクリボン５の巻き取り力を増加させ、インクリボン５の張力を増加させる（ステップＳ９）。
【００５２】
印画長Ｌが上限値Ｌ２より大きい場合は（ステップＳ８＿Ｎｏ）、印画長Ｌと上限値Ｌ２との差分に応じてインクリボン５の巻き取り力を減少させ、インクリボン５の張力を減少させる（ステップＳ１０）。
【００５３】
未印画の画像データがある場合は（ステップＳ１１＿Ｎｏ）、ステップＳ１に戻り、印画を行う。入力された全ての画像データの印画を行うと（ステップＳ１１＿Ｙｅｓ）、処理を終了する。
【００５４】
このように、本実施形態では、画像形成領域の前方縁と後方縁とに目印パターンを印画し、印画長Ｌを計算する。印画長Ｌが所定範囲に収まるようにインクリボン５の巻き取り力を制御することで、サーマルヘッド１の状態に応じた適切なテンションをインクリボン５に与えることができ、画像の印画位置のずれや印画紙にシワが生じることを防止できる。
【００５５】
上記実施形態では、印画長Ｌが所定範囲から外れていた場合に、印画長Ｌと、下限値Ｌ１又は上限値Ｌ２との差分に応じて巻き取り力を制御する例について説明したが、印画長Ｌが下限値Ｌ１より小さい場合は巻き取り力を現在値より所定割合（例えば１０％）増加させ、印画長Ｌが上限値Ｌ２より大きい場合は巻き取り力を現在値より所定割合（例えば１０％）減少させるようにしてもよい。
【００５６】
上記実施形態では、インクリボン５の巻き取り力（テンション）を制御する例について説明したが、印画処理時、インクリボン５は印画シート７と共にサーマルヘッド１とプラテンロール２との間に挟まれているため、巻き取り力の代わりに印画シート７の搬送速度を制御してもよい。印画長Ｌが下限値Ｌ１より小さい場合は印画シート７の搬送速度を増加させ、印画長Ｌが上限値Ｌ２より大きい場合は印画シート７の搬送速度を低下させる。
【００５７】
インクリボン５の巻き取り力と印画シート７の搬送速度のどちらを制御するかを切り替えられるようにしてもよい。例えば、使用する印画シート７の種類に応じて、巻き取り力と搬送速度のどちらを制御するかを切り替える。
【００５８】
目印パターンは上記実施形態で説明したものに限定されず、例えば、イエロー、マゼンタ、シアンをライン状に重ねて印画した黒色のラインパターンとしてもよい。
【００５９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【実施例】
【００６０】
熱転写印画装置の機体、インクリボン、印画シートを変え、インクリボンにかけるテンション毎に印画処理を行い、画像印画位置ずれが発生する枚数を計数した。計数結果を表１に示す。
【００６１】
【表１】
2018051829.tif 000003
【００６２】
上記の実験結果より、インクリボンにかけるテンションが低い程、印画された画像の位置ずれが発生しやすくなることが分かる。インクリボンにかけるテンションが高すぎると、インクリボンが破断するおそれがあるため、インクリボンにかけるテンションは、好ましくは２５００ｇｆ以下であり、より好ましくは２０００ｇｆ以下である。
【符号の説明】
【００６３】
１  サーマルヘッド
２  プラテンロール
３  インクリボン供給部
４  インクリボン回収部
５  インクリボン
６  印画紙ロール
７  印画シート
８  カッター
１０  制御装置
１１  画像センサ
２０，２２  目印パターン
３０  駆動部
４０  印画部
【図１】
2018051829.tif 000004
【図２】
2018051829.tif 000005
【図３】
2018051829.tif 000006
【図４】
2018051829.tif 000007